(57)【要約】  本発明の目的は、複数のＡＩＣＨシグネチャ状態をすべて正しく復号しなければ受信結果の内容がわからず、シグネチャ復号の誤り率が高くなるという問題を解決することにある。本発明においては、基地局がシグネチャコンビネーションのうち、所定の少なくとも１つの位置のシグネチャを用いて、プリアンブルの受信結果を含む情報を示し、所定以外の位置のシグネチャを用いて、上りチャネルの送信プロファイル情報番号を示して移動局に通知するため、すべての情報を１つのシグネチャ組み合わせで通知する場合と比べ、受信結果に関する誤り率を軽減することができる。
2009084297.tif 000002
【特許請求の範囲】
【請求項１】
移動局は、プリアンブルを基地局に送信し、
前記基地局は、前記プリアンブルを受信し、前記プリアンブルに対する応答を前記移動局に送信し、
前記移動局は、前記応答に応じて上りチャネルでデータ送信を行う、
通信システムであって、
前記基地局は、前記応答に複数のシグネチャを用い、前記複数のシグネチャの一部のシグネチャを用いて、前記プリアンブルの受信結果を含む情報を構成する、
ことを特徴とする通信システム。
【請求項２】
前記一部のシグネチャ以外のシグネチャの少なくとも一部を用いて、前記上りチャネルの送信プロファイル情報を構成する、
ことを特徴とする請求項１に記載の通信システム。
【請求項３】
移動局は、プリアンブルを基地局に送信し、
前記基地局は、前記プリアンブルを受信し前記プリアンブルに対する応答を前記移動局に送信し、
移動局は、前記応答に応じて上りチャネルでデータ送信を行う、
通信システムであって、
前記基地局は、有効または無効なシグネチャコンビネーションを前記移動局に報知し、前記応答において前記有効なシグネチャコンビネーションにより、前記プリアンブルの受信結果を前記移動局に通知する、
ことを特徴とする通信システム。
【請求項４】
前記応答は、更に前記上りチャネルの送信プロファイル情報を示す情報を含む、
ことを特徴とする請求項３に記載の通信システム。
【請求項５】
前記移動局は、前記有効または無効なシグネチャコンビネーションを受信し、前記有効なシグネチャコンビネーションを基に、前記応答に用いられるシグネチャを識別する、
ことを特徴とする請求項３または４に記載の通信システム。
【請求項６】
移動局は、プリアンブルを基地局に送信し、
前記基地局は、前記プリアンブルを受信し、前記プリアンブルに対する応答を前記移動局に送信し、
移動局は、前記応答に応じて上りチャネルでデータ送信を行う、
通信システムであって、
前記基地局は、所定の条件に応じてシグネチャコンビネーションの優先度を定め、前記応答において優先度の高いシグネチャコンビネーションから優先的に選択して、前記プリアンブルの受信結果を前記移動局に通知する、
ことを特徴とする通信システム。
【請求項７】
前記応答は、更に前記上りチャネルの送信プロファイル情報を示す情報を含む、
ことを特徴とする請求項６に記載の通信システム。
【請求項８】
前記所定の条件は、所定のシグネチャコンビネーションと優先度を定めるシグネチャコンビネーションとの間の符号間距離である、
ことを特徴とする請求項６または７に記載の通信システム。
【請求項９】
前記優先度は、前記所定のシグネチャコンビネーションと、前記優先度を定めるシグネチャコンビネーションとの符号間距離が、所定量以下である場合は、前記所定のシグネチャコンビネーションを選択する優先度を低く設定し、所定量以下でない場合は、前記所定のシグネチャコンビネーションを選択する優先度を高く設定する、
ことを特徴とする請求項８に記載の通信システム。
【請求項１０】
前記シグネチャは、下り共通チャネルのシグネチャである、
ことを特徴とする請求項１から９の何れか１項に記載の通信システム。
【請求項１１】
前記下り共通チャネルが、ＡＩＣＨ（Ａｃｑｕｉｓｉｔｉｏｎ  Ｉｎｄｉｃａｔｏｒ  Ｃｈａｎｎｅｌ）であるとき、前記受信結果は複数のＡＩＣＨシグネチャ状態を用いて構成される、
ことを特徴とする請求項１０に記載の通信システム。
【請求項１２】
前記受信結果は、ＡＣＫまたはＮＡＣＫまたはＮｏＡＣＫのいずれか一つを示す、
ことを特徴とする請求項１から１１の何れか１項に記載の通信システム。
【請求項１３】
移動局は、プリアンブルを基地局に送信し、
前記基地局は、前記プリアンブルを受信し、前記プリアンブルに対する応答を前記移動局に送信し、
前記移動局は、前記応答に応じて上りチャネルでデータ送信を行う、
通信システムであって、
前記基地局は、第１の受信結果を示す応答で用いられるシグネチャ状態と該シグネチャ状態とは異なる少なくとも１つのシグネチャ状態を用いて第２の受信結果を示す応答を構成する、
ことを特徴とする通信システム。
【請求項１４】
前記第１の受信結果はＡＣＫであり、前記第２の受信結果はＮＡＣＫである、
ことを特徴とする請求項１３に記載の通信システム。
【請求項１５】
第１の受信結果を示す応答で用いられるシグネチャ状態は＋１または−１であり、第２の受信結果を示す応答で用いられるシグネチャ状態は＋１または−１または０である、
ことを特徴とする請求項１３または１４に記載の通信システム。
【請求項１６】
移動局からプリアンブルを受信し、前記プリアンブルに対する応答を前記移動局に送信する基地局であって、
前記応答に複数のシグネチャを用い、前記複数のシグネチャの一部のシグネチャを用いて、前記プリアンブルの受信結果を含む情報を前記移動局に通知する、
ことを特徴とする基地局。
【請求項１７】
前記一部のシグネチャ以外のシグネチャの少なくとも一部を用いて、前記上りチャネルの送信プロファイル情報を構成する、
ことを特徴とする請求項１６に記載の基地局。
【請求項１８】
移動局からプリアンブルを受信し、前記プリアンブルに対する応答を前記移動局に送信する基地局であって、
有効または無効なシグネチャコンビネーションを前記移動局に報知し、前記応答において前記有効なシグネチャコンビネーションにより、前記プリアンブルの受信結果を前記移動局に通知する、
ことを特徴とする基地局。
【請求項１９】
前記応答は、更に前記上りチャネルの送信プロファイル情報を示す情報を含む、
ことを特徴とする請求項１８に記載の基地局。
【請求項２０】
移動局からプリアンブルを受信し、前記プリアンブルに対する応答を前記移動局に送信する基地局であって、
所定の条件に応じてシグネチャコンビネーションの優先度を定め、前記応答において優先度の高いシグネチャコンビネーションから優先的に選択して、前記プリアンブルの受信結果を前記移動局に通知する、
ことを特徴とする基地局。
【請求項２１】
前記応答は、更に前記上りチャネルの送信プロファイル情報を示す情報を含む、
ことを特徴とする請求項２０に記載の基地局。
【請求項２２】
前記所定の条件は、所定のシグネチャコンビネーションと優先度を定めるシグネチャコンビネーションとの間の符号間距離である、
ことを特徴とする請求項２０または２１に記載の基地局。
【請求項２３】
前記優先度は、前記所定のシグネチャコンビネーションと、前記優先度を定めるシグネチャコンビネーションとの符号間距離が、所定量以下である場合は、前記所定のシグネチャコンビネーションを選択する優先度を低く設定し、所定量以下でない場合は、前記所定のシグネチャコンビネーションを選択する優先度を高く設定する、
ことを特徴とする請求項２２に記載の基地局。
【請求項２４】
前記シグネチャは下り共通チャネルのシグネチャである、
ことを特徴とする請求項１６から２３の何れか１項に記載の基地局。
【請求項２５】
前記下り共通チャネルが、ＡＩＣＨ（Ａｃｑｕｉｓｉｔｉｏｎ  Ｉｎｄｉｃａｔｏｒ  Ｃｈａｎｎｅｌ）であるとき、前記受信結果は複数のＡＩＣＨシグネチャ状態を用いて構成される、
ことを特徴とする請求項２４に記載の基地局。
【請求項２６】
前記受信結果は、ＡＣＫまたはＮＡＣＫまたはＮｏＡＣＫのいずれか一つを示す、
ことを特徴とする請求項１６から２５の何れか１項に記載の基地局。
【請求項２７】
移動局からプリアンブルを受信し、前記プリアンブルに対する応答を前記移動局に送信する基地局であって、
第１の受信結果を示す応答で用いられるシグネチャ状態と該シグネチャ状態とは異なる少なくとも１つのシグネチャ状態を用いて第２の受信結果を示す応答を構成する、
ことを特徴とする基地局。
【請求項２８】
前記第１の受信結果はＡＣＫであり、前記第２の受信結果はＮＡＣＫである、
ことを特徴とする請求項２７に記載の基地局。
【請求項２９】
第１の受信結果を示す応答で用いられるシグネチャ状態は＋１または−１であり、第２の受信結果を示す応答で用いられるシグネチャ状態は＋１または−１または０である、
ことを特徴とする請求項２７または２８に記載の基地局。
【請求項３０】
基地局へプリアンブルを送信し、第１のシグネチャと第２のシグネチャに分けられた、前記プリアンブルに対する応答を前記基地局から受信する移動局であって、
前記応答における第１の１つまたは複数のシグネチャを基に、前記プリアンブルの受信結果を判断する、
ことを特徴とする移動局。
【請求項３１】
基地局へプリアンブルを送信し、前記プリアンブルに対する応答を前記基地局から受信する移動局であって、
前記基地局から有効または無効なシグネチャコンビネーションを受信し、前記有効なシグネチャコンビネーションを基に、前記応答に用いられるシグネチャを識別する、
ことを特徴とする移動局。
【請求項３２】
基地局が移動局に応答を通知する方法であって、
移動局からプリアンブルを受信するステップと、
前記応答に複数のシグネチャを用いるステップと、
前記複数のシグネチャの一部のシグネチャを用いて、前記プリアンブルの受信
結果を含む情報を構成するステップとを有する、
ことを特徴とする応答通知方法。
【請求項３３】
基地局が移動局に応答を通知する方法であって、
移動局からプリアンブルを受信するステップと、
前記プリアンブルに対する応答において有効または無効なシグネチャコンビネーションを前記移動局に報知するステップと、
前記応答において前記有効なシグネチャコンビネーションにより、前記プリアンブルの受信結果を前記移動局に通知するステップとを有する、
ことを特徴とする応答通知方法。
【請求項３４】
基地局が移動局に応答を通知する方法であって、
移動局からプリアンブルを受信するステップと、
前記プリアンブルに対する応答において所定の条件に応じてシグネチャコンビネーションの優先度を定めるステップと、
前記応答において優先度の高いシグネチャコンビネーションから優先的に選択して、前記プリアンブルの受信結果を前記移動局に通知するステップとを有する、
ことを特徴とする応答通知方法。
【請求項３５】
基地局が移動局に応答を通知する方法であって、
移動局からプリアンブルを受信するステップと、
前記プリアンブルに対する応答において第１の受信結果を示す応答で用いられるシグネチャ状態と該シグネチャ状態とは異なる少なくとも１つのシグネチャ状態を用いて第２の受信結果を示す応答を構成するステップとを有する、
ことを特徴とする応答通知方法。
【請求項３６】
移動局が受信結果を判断する方法であって、
前記基地局へ送信したプリアンブルに対する、複数のシグネチャを用いた応答を前記基地局から受信するステップと、
前記複数のシグネチャの一部のシグネチャを基に、前記プリアンブルの受信結果を判断するステップとを有する、
ことを特徴とする受信結果判断方法。
【請求項３７】
移動局がシグネチャを識別する方法であって、
基地局から有効または無効なシグネチャコンビネーションを受信するステップと、
前記基地局へ送信したプリアンブルに対する応答を前記基地局から受信するステップと、
前記有効なシグネチャコンビネーションを基に、前記応答に用いられるシグネチャを識別するステップとを有する、
ことを特徴とするシグネチャ識別方法。
【請求項３８】
情報処理装置に処理を実行させるプログラムであって、
前記情報処理装置に複数のシグネチャの一部のシグネチャを用いて、基地局が移動局から受信するプリアンブルの受信結果を含む情報を構成する処理を実行させる、
ことを特徴とするプログラム。
【請求項３９】
情報処理装置に処理を実行させるプログラムであって、
前記情報処理装置に基地局が移動局から受信するプリアンブルに対する応答において有効または無効なシグネチャコンビネーションを前記移動局に報知し、前記応答において前記有効なシグネチャコンビネーションにより、前記プリアンブルの受信結果を前記移動局に通知する処理を実行させる、
ことを特徴とするプログラム。
【請求項４０】
情報処理装置に処理を実行させるプログラムであって、
前記情報処理装置に基地局が移動局から受信するプリアンブルに対する応答において所定の条件に応じてシグネチャコンビネーションの優先度を定め、前記応答において優先度の高いシグネチャコンビネーションから優先的に選択して、前記プリアンブルの受信結果を前記移動局に通知する処理を実行させる、
ことを特徴とするプログラム。
【請求項４１】
情報処理装置に処理を実行させるプログラムであって、
前記情報処理装置に基地局が移動局から受信するプリアンブルに対する応答において第１の受信結果を示す応答で用いられるシグネチャ状態と該シグネチャ状態とは異なる少なくとも１つのシグネチャ状態を用いて第２の受信結果を示す応答を構成する処理を実行させる、
ことを特徴とするプログラム。
【請求項４２】
情報処理装置に処理を実行させるプログラムであって、
前記情報処理装置に基地局へ送信したプリアンブルに対する、複数のシグネチャを用いた応答を前記基地局から受信し、前記複数のシグネチャの一部のシグネチャを基に、前記プリアンブルの受信結果を判断する処理を実行させる、
ことを特徴とするプログラム。
【請求項４３】
情報処理装置に処理を実行させるプログラムであって、
前記情報処理装置に基地局から有効または無効なシグネチャコンビネーションを受信し、前記基地局へ送信したプリアンブルに対する応答を前記基地局から受信し、前記有効なシグネチャコンビネーションを基に、前記応答に用いられるシグネチャを識別する処理を実行させる、
ことを特徴とするプログラム。
【発明の詳細な説明】
【技術分野】
【０００１】
本発明は、応答通知方法および関連する技術に関する。
【背景技術】
【０００２】
第３世代の移動通信システムであるＷ−ＣＤＭＡ（広帯域符号分割多元接続：Ｗｉｄｅｂａｎｄ  Ｃｏｄｅ  Ｄｉｖｉｓｉｏｎ  Ｍｕｌｔｉｐｌｅ  Ａｃｃｅｓｓ）において、ＣＥＬＬ＿ＦＡＣＨ（Ｆｏｒｗａｒｄ  Ａｃｃｅｓｓ  Ｃｈａｎｎｅｌ）状態にある移動局（ＵＥ:ｕｓｅｒ ｅｑｕｉｐｍｅｎｔ)は、帰属する基地局を特定しておらず、制御情報等を送信するごとに帰属する基地局を選択している。上りデータチャネルであるＲＡＣＨ（Ｒａｎｄｏｍ Ａｃｃｅｓｓ Ｃｈａｎｎｅｌ）の動作は、第３世代移動通信システムの標準化プロジェクト３ＧＰＰ(３ｒｄ Ｇｅｎｅｒａｔｉｏｎ Ｐａｒｔｎｅｒｓｈｉｐ Ｐｒｏｊｅｃｔ)の仕様書に規定されている（例えば非特許文献１から４参照）。さらに３ＧＰＰのＲｅｌｅａｓｅ８において、ＲＡＣＨの拡張技術として、Ｅ−ＲＡＣＨ（Ｅｎｈａｎｃｅｄ  ＲＡＣＨ）が検討されている（例えば非特許文献５参照）。以下、図１から図３を参照して、Ｅ−ＲＡＣＨの動作を簡単に説明する。【０００３】
図１は、移動通信システムの構成を示すブロック図である。ここでは、説明を複雑にしないために、基地局１０のセル内に複数の移動局２０−１、２０−２、２０−３、２０−Ｎが位置しており、これら移動局はＣＥＬＬ＿ＦＡＣＨ状態にあるものとする。基地局１０は上位のネットワーク装置３０に接続されているものとする。なお、任意の移動局を示す場合には「移動局２０」と記す。【０００４】
図２は、Ｅ−ＲＡＣＨの動作を示す構成図であり、図３はＥ−ＲＡＣＨをはじめとしたチャネル設定のシーケンス図である。図２に示すように、上り方向通信では、上りデータチャネルＥ−ＤＣＨ（Ｅｎｈａｎｃｅｄ  Ｄｅｄｉｃａｔｅｄ  Ｃｈａｎｎｅｌ）と、Ｅ−ＤＣＨを送信する前にタイミングをとるためのプリアンブル部とがある。下り方向通信では、移動局から受信したプリアンブル部に応答するための下りチャネルＡＩＣＨ（Ａｃｑｕｉｓｉｔｉｏｎ Ｉｎｄｉｃａｔｏｒ Ｃｈａｎｎｅｌ）がある。【０００５】
プリアンブル部には、後述するプリアンブル・シグネチャＣｓｉｇ，ｓとプリアンブル・スクランブリング符号Ｓｒ−ｐｒｅ，ｎという拡散符号が用いられる。プリアンブル・シグネチャＣｓｉｇ，ｓは符号長が１６のＨａｄａｍａｒｄ符号を２５６回繰り返した４０９６チップから構成され、プリアンブル・スクランブリング符号Ｓｒ−ｐｒｅ，ｎは基地局が通知するセル識別用符号である。プリアンブル・シグネチャＣｓｉｇ，ｓは各移動局が所定のプリアンブル・シグネチャ（Ｃｓｉｇ，１、Ｃｓｉｇ，２、・・・Ｃｓｉｇ，ｓ）からランダムに選択する。【０００６】
プリアンブル部の符号データＣｐｒｅ，ｎ，ｓは、下記式（１）で表されるように、４０９６チップのうち対応するｋ番目のプリアンブル・シグネチャＣｓｉｇｓ，ｓとプリアンブル・スクランブリング符号Ｓｒ−ｐｒｅ，ｎとで構成される。【０００７】
【数１】
2009084297.tif 000003
ｋ＝０，１，２，３，・・・，４０９５
Ｃｐｒｅ，ｎ，ｓ：プリアンブル部符号データ
Ｓｒ−ｐｒｅ，ｎ： プリアンブル・スクランブリング符号
Ｃｓｉｇ，ｓ：プリアンブル・シグネチャ
上りデータチャネルＥ−ＤＣＨは、３ＧＰＰ  Ｒｅｌｅａｓｅ６で規定された仕様（例えば非特許文献６参照）を基に構成される。【０００８】
図２および図３に示すように、まず、移動局２０は基地局１０のパイロットチャネルの受信電力量から算出した初期送信電力値でプリアンブル部符号データを基地局に送信する。プリアンブル部符号データは前述のように基地局１０が通知したプリアンブル・スクランブリング符号と、自局がランダムに選択したプリアンブル・シグネチャとを用いて生成される。基地局１０は、受信したプリアンブルに対して、複数のＡＩＣＨシグネチャ状態を用いて受信結果（ＡＣＫ／ＮＡＣＫ／ＮｏＡＣＫ）を移動局２０に送信する。このとき、ＡＩＣＨシグネチャ状態が、通知内容に対応した符号となっている。基地局１０は、移動局２０が送信したプリアンブル・シグネチャに対する応答を移動局へ同時に送信する。ＡＣＫ応答に対しては、後述するＥ−ＤＣＨ送信プロファイル情報を示すＥ−ＤＣＨ送信プロファイル情報番号も同時に移動局へ送信する。【０００９】
たとえば、基地局１０が受信に成功したプリアンブルに使われているプリアンブル・シグネチャを選択した移動局に対して、Ｅ−ＤＣＨを用いて上りデータを送信することを許容する際には受信結果「ＡＣＫ」が通知され、許容しないときは「ＮＡＣＫ」が通知される。また、受信成功したプリアンブルに使われていないプリアンブル・シグネチャに対しては「ＮｏＡＣＫ」がＡＩＣＨにおける応答として設定される。【００１０】
移動局２０は、ＡＩＣＨで受信結果を受信し、プリアンブル送信で使用したプリアンブル・シグネチャに対する応答がＡＣＫであれば、後述する方法でＥ−ＤＣＨ送信プロファイル情報を決定し、基地局１０にデータを送信する。プリアンブル送信で使用したプリアンブル・シグネチャに対する応答がＮＡＣＫであれば、所定時間後に再度プリアンブルの送信を行う。プリアンブル送信で使用したプリアンブル・シグネチャに対する応答がＮｏＡＣＫであれば、移動局２０は、先に送信したプリアンブルを基地局１０が受信していないと判断し、再送回数の上限に達していなければプリアンブルの送信電力を所定量だけ増加させて再送する。なお、図２に示すように、プリアンブル部の最小再送間隔τｐ−ｐ，ｍｉｎ、プリアンブル部とＡＩＣＨでの受信結果送信までの間隔τｐ−ａは、それぞれ予め決められている。ＡＩＣＨは、複数のＡＩＣＨシグネチャ状態を用いた受信結果（ＡＣＫ／ＮＡＣＫ／ＮｏＡＣＫ）を、プリアンブルのプリアンブル・シグネチャＣｓｉｇ，ｓに対応して送信する。【００１１】
ＡＩＣＨは、下記式（２）から導かれる符号ａｊを３２個組み合わせることで構成され、ＡＩＣＨのシグネチャパターンｂｓ、ｊは、表１に規定されている（例えば非特許文献４参照）。このとき、sはシグネチャ番号を示し、ｂｓ、ｊは１６個のパターンを取りうる。また、ＡＩｓはシグネチャ状態を示し、プリアンブルの受信結果がＡＣＫの場合にＡＩｓ＝＋１、ＮＡＣＫの場合にＡＩｓ＝−１、ＮｏＡＣＫの場合にＡＩｓ＝０としてＡＩＣＨで送信する。【００１２】
【数２】
2009084297.tif 000004
【００１３】
【表１】
2009084297.tif 000005
【００１４】
Ｅ−ＤＣＨ送信プロファイル情報は、ＵＬ（Ｕｐｌｉｎｋ） ｓｃｒａｍｂｌｉｎｇ ｃｏｄｅ、Ｅ-ＲＮＴＩ（Ｅｎｈａｎｃｅｄ  Ｒａｄｉｏ  Ｎｅｔｗｏｒｋ  Ｔｅｍｐｏｒａｒｙ  Ｉｄｅｎｔｉｔｙ）、ＤＰＣＣＨ（Ｄｅｄｉｃａｔｅｄ  Ｐｈｙｓｉｃａｌ  Ｃｏｎｔｒｏｌ  Ｃｈａｎｎｅｌ） ｃｏｄｅおよびｔｉｍｉｎｇ ｏｆｆｓｅｔ、Ｅ-ＲＧＣＨ（Ｅ−ＤＣＨ  Ｒｅｌａｔｉｖｅ  Ｇｒａｎｔ  Ｃｈａｎｎｅｌ）ｃｏｄｅ、Ｅ-ＨＩＣＨ（Ｅ−ＤＣＨ  Ｈｙｂｒｉｄ  ＡＲＱ  Ｉｎｄｉｃａｔｏｒ  Ｃｈａｎｎｅｌ）ｃｏｄｅ、Ｅ-ＡＧＣＨ（Ｅ−ＤＣＨ  Ａｂｓｏｌｕｔｅ  Ｇｒａｎｔ  Ｃｈａｎｎｅｌ）ｃｏｄｅなどから構成される。基地局は、複数個のＥ−ＤＣＨ送信プロファイル情報およびそれぞれのＥ−ＤＣＨ送信プロファイル情報に対応するＥ−ＤＣＨ送信プロファイル情報番号を含むＥ−ＤＣＨ送信プロファイル情報リストを定期的にセル内の移動局へＢＣＨ（Ｂｒｏａｄｃａｓｔ  Ｃｈａｎｎｅｌ）で報知する。そして、移動局はプリアンブルを送信する。基地局はＡＩＣＨを用いて受信結果ＡＣＫを送信するのと同時に、Ｅ−ＤＣＨ送信プロファイル情報番号を１つ選択し、移動局に割り当てる。移動局は、割り当てられたＥ−ＤＣＨ送信プロファイル情報番号に対応したＥ−ＤＣＨ送信プロファイル情報とから送信プロファイルを決定し、上りデータを基地局に送信する（例えば非特許文献７参照）。１つのプリアンブル・シグネチャに対して、複数のＥ−ＤＣＨ送信プロファイル情報番号が割り当てられる。また、ＡＩＣＨシグネチャコンビネーションを用いてＥ−ＤＣＨ送信プロファイル情報番号を特定している。ＡＩＣＨシグネチャはＡＩＣＨシグネチャ番号とそれに付随するＡＩＣＨシグネチャ状態の対を表し、ＡＩＣＨシグネチャを複数組み合わせたものをシグネチャコンビネーション（シグネチャコンビネーション）と呼ぶ。また、ＡＩＣＨシグネチャコンビネーションが複数集まったものをＡＩＣＨシグネチャコンビネーションセット（シグネチャコンビネーション集合）と呼ぶ。表２はＡＩＣＨシグネチャコンビネーションセットが示されたＡＩＣＨシグネチャコンビネーションセットテーブルの一例である。【００１５】
【表２】
2009084297.tif 000006
【００１６】
表２で受信結果がＡＣＫ、Ｅ−ＤＣＨ送信プロファイル情報番号が１の場合を例に取ると、シグネチャ番号が"１，２，３"、シグネチャ状態が（−１，−１，＋１）である３つのＡＩＣＨシグネチャから構成されるＡＩＣＨシグネチャコンビネーションを表している。
【非特許文献１】3GPP TS25.214 v7.5.0 May 2007
【非特許文献２】3GPP TS25.321 v7.2.0 September 2006
【非特許文献３】3GPP TS25.331 v7.3.0 December 2006
【非特許文献４】3GPP TS25.211 v7.2.0 May 2007
【非特許文献５】3GPP RP-070677 Nokia Siemens Networks, Nokia, Ericsson, Qual comm, T-Mobile, Telecom Italia, "Enhanced Uplink for CELL_FACH State in FDD" September 2007
【非特許文献６】3GPP TS25.319 v7.3.0
【非特許文献７】3GPP R2-074626 Nokia Corporation, Nokia Siemens Networks, " Resource assignment for E-DCH access in CELL_FACH state" November 2007
【発明の開示】
【発明が解決しようとする課題】
【００１７】
非特許文献７で提案されているＥ−ＤＣＨ送信プロファイル情報の割り当て方法では、複数のＡＩＣＨシグネチャ状態をすべて正しく復号しなければ受信結果の内容がわからず、シグネチャ復号の誤り率が高くなる。特に、ＡＩＣＨの受信結果ＮＡＣＫを示すシグネチャ状態が、受信結果ＡＣＫを示すシグネチャ状態に誤って復号された場合には、割り当てられていない端末が送信を行ってしまうという問題が起こる。【００１８】
そこで、本発明の目的は、複数のシグネチャを用いて送信プロファイル情報を割り当てる方式において、受信結果に関する復号誤り率の低減を達成することができるチャネル割り当て方法および装置を提供することにある。
【課題を解決するための手段】
【００１９】
上記課題を解決する本発明は、移動局は、プリアンブルを基地局に送信し、基地局は、プリアンブルを受信し、プリアンブルに対する応答を移動局に送信し、移動局は、応答に応じて上りチャネルでデータ送信を行う通信システムであって、基地局は、応答を第１のシグネチャと第２のシグネチャに分け、第１のシグネチャの中から１つまたは複数のシグネチャを用いて、プリアンブルの受信結果を含む情報を移動局に通知することを特徴とする。【００２０】
上記課題を解決する本発明は、移動局は、プリアンブルを基地局に送信し、基地局は、プリアンブルを受信しプリアンブルに対する応答を移動局に送信し、移動局は、応答に応じて上りチャネルでデータ送信を行う通信システムであって、基地局は、有効なシグネチャコンビネーションを移動局に報知し、応答において有効なシグネチャコンビネーションにより、プリアンブルの受信結果を移動局に通知することを特徴とする。【００２１】
上記課題を解決する本発明は、移動局は、プリアンブルを基地局に送信し、基地局は、プリアンブルを受信し、プリアンブルに対する応答を移動局に送信し、移動局は、応答に応じて上りチャネルでデータ送信を行うシステムであって、基地局は、所定の条件に応じてシグネチャコンビネーションの優先度を定め、応答において優先度の高いシグネチャコンビネーションから優先的に選択して、プリアンブルの受信結果を移動局に通知することを特徴とする。【００２２】
上記課題を解決する本発明は、移動局は、プリアンブルを基地局に送信し、基地局は、プリアンブルを受信し、プリアンブルに対する応答を移動局に送信し、移動局は、応答に応じて上りチャネルでデータ送信を行う通信システムであって、基地局は、第１の受信結果を示す応答で用いられるシグネチャ状態と少なくとも１つ異なるシグネチャ状態を用いて第２の受信結果を示す応答を構成することを特徴とする。【００２３】
上記課題を解決する本発明は、移動局からプリアンブルを受信し、プリアンブルに対する応答を移動局に送信する基地局であって、応答を第１のシグネチャと第２のシグネチャに分け、第１のシグネチャから１つまたは複数のシグネチャを用いて、プリアンブルの受信結果を含む情報を移動局に通知することを特徴とする。【００２４】
上記課題を解決する本発明は、移動局からプリアンブルを受信し、プリアンブルに対する応答を移動局に送信する基地局であって、有効なシグネチャコンビネーションを移動局に報知し、応答において有効なシグネチャコンビネーションにより、プリアンブルの受信結果を移動局に通知することを特徴とする。【００２５】
上記課題を解決する本発明は、移動局からプリアンブルを受信し、プリアンブルに対する応答を移動局に送信する基地局であって、所定の条件に応じてシグネチャコンビネーションの優先度を定め、応答において優先度の高いシグネチャコンビネーションから優先的に選択して、プリアンブルの受信結果を移動局に通知することを特徴とする。【００２６】
上記課題を解決する本発明は、移動局からプリアンブルを受信し、プリアンブルに対する応答を移動局に送信する基地局であって、第１の受信結果を示す応答で用いられるシグネチャ状態と少なくとも１つ異なるシグネチャ状態を用いて第２の受信結果を示す応答を構成することを特徴とする。【００２７】
上記課題を解決する本発明は、基地局へプリアンブルを送信し、第１のシグネチャと第２のシグネチャに分けられた、プリアンブルに対する応答を基地局から受信する移動局であって、応答における第１の１つまたは複数のシグネチャを基に、プリアンブルの受信結果を判断することを特徴とする。【００２８】
上記課題を解決する本発明は、基地局へプリアンブルを送信し、プリアンブルに対する応答を基地局から受信する移動局であって、基地局から有効なシグネチャコンビネーションを受信し、有効なシグネチャコンビネーションを基に、応答に用いられるシグネチャを識別することを特徴とする。【００２９】
上記課題を解決する本発明は、基地局が移動局に応答を通知する方法であって、移動局からプリアンブルを受信するステップと、プリアンブルに対する応答を第１のシグネチャと第２のシグネチャに分け、第１のシグネチャの中から第１の１つまたは複数のシグネチャを用いて、プリアンブルの受信結果を含む情報を移動局に通知するステップとを有することを特徴とする。【００３０】
上記課題を解決する本発明は、基地局が移動局に応答を通知する方法であって、移動局からプリアンブルを受信するステップと、プリアンブルに対する応答において有効なシグネチャコンビネーションを移動局に報知するステップと、応答において有効なシグネチャコンビネーションにより、プリアンブルの受信結果を移動局に通知するステップとを有することを特徴とする。【００３１】
上記課題を解決する本発明は、基地局が移動局に応答を通知する方法であって、移動局からプリアンブルを受信するステップと、プリアンブルに対する応答において所定の条件に応じてシグネチャコンビネーションの優先度を定めるステップと、応答において優先度の高いシグネチャコンビネーションから優先的に選択して、プリアンブルの受信結果を移動局に通知するステップとを有することを特徴とする。【００３２】
上記課題を解決する本発明は、基地局が移動局に応答を通知する方法であって、移動局からプリアンブルを受信するステップと、プリアンブルに対する応答において第１の受信結果を示す応答で用いられるシグネチャ状態と少なくとも１つ異なるシグネチャ状態を用いて第２の受信結果を示す応答を構成するステップとを有することを特徴とする。【００３３】
上記課題を解決する本発明は、移動局が受信結果を判断する方法であって、基地局から第１のシグネチャと第２のシグネチャに分けられた、基地局へ送信したプリアンブルに対する応答を基地局から受信するステップと、応答における第１の１つまたは複数のシグネチャを基に、プリアンブルの受信結果を判断するステップと有することを特徴とする。【００３４】
上記課題を解決する本発明は、移動局がシグネチャを識別する方法であって、基地局から有効なシグネチャコンビネーションを受信するステップと、基地局へ送信したプリアンブルに対する応答を基地局から受信するステップと、有効なシグネチャコンビネーションを基に、応答に用いられるシグネチャを識別するステップとを有することを特徴とする。【００３５】
上記課題を解決する本発明は、情報処理装置に処理を実行させるプログラムであって、前記プログラムは、前記情報処理装置に複数のシグネチャの一部のシグネチャを用いて、基地局が移動局から受信するプリアンブルの受信結果を含む情報を構成する処理を実行させることを特徴とする。【００３６】
上記課題を解決する本発明は、情報処理装置に処理を実行させるプログラムであって、前記プログラムは、前記情報処理装置に基地局が移動局から受信するプリアンブルに対する応答において有効または無効なシグネチャコンビネーションを前記移動局に報知し、前記応答において前記有効なシグネチャコンビネーションにより、前記プリアンブルの受信結果を前記移動局に通知する処理を実行させることを特徴とする。【００３７】
上記課題を解決する本発明は、情報処理装置に処理を実行させるプログラムであって、前記プログラムは、前記情報処理装置に基地局が移動局から受信するプリアンブルに対する応答において所定の条件に応じてシグネチャコンビネーションの優先度を定め、前記応答において優先度の高いシグネチャコンビネーションから優先的に選択して、前記プリアンブルの受信結果を前記移動局に通知する処理を実行させることを特徴とする。【００３８】
上記課題を解決する本発明は、情報処理装置に処理を実行させるプログラムであって、前記プログラムは、前記情報処理装置に基地局が移動局から受信するプリアンブルに対する応答において第１の受信結果を示す応答で用いられるシグネチャ状態と該シグネチャ状態とは異なる少なくとも１つのシグネチャ状態を用いて第２の受信結果を示す応答を構成する処理を実行させることを特徴とする。【００３９】
上記課題を解決する本発明は、情報処理装置に処理を実行させるプログラムであって、前記プログラムは、前記情報処理装置に基地局へ送信したプリアンブルに対する、複数のシグネチャを用いた応答を前記基地局から受信し、前記複数のシグネチャの一部のシグネチャを基に、前記プリアンブルの受信結果を判断する処理を実行させることを特徴とする。【００４０】
上記課題を解決する本発明は、情報処理装置に処理を実行させるプログラムであって、前記プログラムは、前記情報処理装置に基地局から有効または無効なシグネチャコンビネーションを受信し、前記基地局へ送信したプリアンブルに対する応答を前記基地局から受信し、前記有効なシグネチャコンビネーションを基に、前記応答に用いられるシグネチャを識別する処理を実行させることを特徴とする。
【発明の効果】
【００４１】
本発明によれば、複数のシグネチャを用いて送信プロファイル情報を割り当てる方式において、受信結果に関する復号誤り率の低減を達成することができる。
【図面の簡単な説明】
【００４２】
【図１】移動通信システムの構成を示すブロック図である。
【図２】Ｅ−ＲＡＣＨの動作を示す構成図である。
【図３】Ｅ−ＲＡＣＨをはじめとしたチャネル設定のシーケンス図である。
【図４】本発明による無線通信システムにおける基地局の構成の一例を示すブロック図である。
【図５】本発明による無線通信システムにおける移動局の構成の一例を示すブロック図である。
【図６】本実施の形態におけるデータ送信の手順を示すシーケンス図である。
【図７】本発明の実施形態１，２，４，６，７，８における基地局の動作を示すフローチャートである。
【図８】本発明の実施形態１における移動局の動作を示すフローチャートである。
【図９】本発明の実施形態３，５，７における基地局の動作を示すフローチャートである。
【符号の説明】
【００４３】
１０  基地局
２０  移動局
１０１  無線通信部
１０２  上り受信処理部
１０３  上り送信処理部
１０４  通信部
１０５  下り受信処理部
１０６  下り送信処理部
１０７  Ｅ−ＤＣＨ送信プロファイル情報生成部
１０８  プリアンブル識別部
１０９  割当リソース制御部
２０１  無線通信部
２０２  受信処理部
２０３  受信結果処理部
２０４  送信データ制御部
２０５  Ｅ−ＤＣＨ送信プロファイル情報保持部
２０６  送信処理部
２０７  バッファ
【発明を実施するための最良の形態】
【００４４】
（第１の実施の形態）
本実施の形態では、基地局がシグネチャコンビネーションのうち、所定の少なくとも１つの位置のシグネチャを用いて、プリアンブルの受信結果を含む情報を示し、所定以外の位置のシグネチャを用いて、上りチャネルの送信プロファイル情報番号を示して前記移動局に通知することを特徴としている。【００４５】
以下、基地局が３つのＡＩＣＨシグネチャから構成されるシグネチャコンビネーションのうち、１番目のＡＩＣＨシグネチャを用いて、プリアンブルの受信結果を示し、２番目と３番目のＡＩＣＨシグネチャを用いて、Ｅ−ＤＣＨ送信プロファイル情報番号を示して前記移動局に通知するシステムを一例として説明する。【００４６】
図４は、本発明による無線通信システムにおける基地局の構成の一例を示すブロック図である。基地局１０には、移動局２０との無線通信を行う無線通信部１０１、それぞれの移動局から受信した上り信号を処理するための上り信号受信処理部１０２、それら上り信号のうちの転送データを上位ネットワーク装置（基地局制御装置）へ送信するための処理を行う上り信号送信処理部１０３および上位ネットワーク装置へ送信する通信部１０４が設けられている。上位ネットワーク装置からのデータは通信部１０４で受信された後、下り信号受信処理部１０５で処理が行われる。下り信号を移動局へ送信するための処理を下り信号送信処理部１０６で行い、無線通信部１０１からあて先の移動局へ送信される。【００４７】
さらに、基地局１０には、上り信号受信処理部ｌ０２に接続されたプリアンブル識別部１０８と、Ｅ−ＤＣＨ送信プロファイル情報生成部１０７と、割当リソース制御部１０９とが設けられている。上り信号受信処理部ｌ０２は、移動局からプリアンブルを受信した場合は、プリアンブル識別部１０８へ転送し、それ以外の場合は上り信号送信処理部１０３へ転送する。プリアンブル識別部１０８は、上り信号受信処理部１０２から転送されたプリアンブルからプリアンブル・シグネチャを識別し、識別した内容を割当リソース制御部１０９へ通知する。Ｅ−ＤＣＨ送信プロファイル情報生成部１０７は、所定時間ごとに、Ｅ−ＲＡＣＨに用いられるＥ−ＤＣＨの送信プロファイル情報および対応するＥ−ＤＣＨ送信プロファイル情報番号を生成し、割当リソース制御部１０９へ出力する。割当リソース制御部１０９は、Ｅ−ＤＣＨ送信プロファイル情報生成部１０７から転送されたＥ−ＤＣＨ送信プロファイル情報およびＥ−ＤＣＨ送信プロファイル情報番号を含むＥ−ＤＣＨ送信プロファイル情報リストを保持している。割当リソース制御部はＥ−ＤＣＨ送信プロファイル情報リストを下り信号送信処理部１０６へ出力し、下り信号送信処理部１０６は、送信処理部１０６から受信したＥ−ＤＣＨ送信プロファイル情報リストを無線通信部１０１を通してセル内の移動局へ報知する。【００４８】
また、割当リソース制御部１０９は、Ｅ−ＤＣＨ送信プロファイル情報番号とプリアンブル・シグネチャ、ＡＩＣＨシグネチャ、受信結果を組み合わせたＡＩＣＨシグネチャコンビネーションセットテーブルを保持し、プリアンブル識別部１０８からプリアンブル識別結果が転送された場合に、保持するＡＩＣＨシグネチャコンビネーションセットテーブルからプリアンブル・シグネチャに対応するＥ−ＤＣＨプロファイルのうち使用可能なものを選択し、プリアンブル・シグネチャや受信結果とともにＥ−ＤＣＨ送信プロファイル情報番号を送信処理部１０６へ出力する。下り信号送信処理部１０６は、受信結果やＥ−ＤＣＨ送信プロファイル情報番号等を無線通信部１０１を通して移動局へ送信する。【００４９】
ここでは、ＡＩＣＨシグネチャコンビネーションセットテーブルを割当リソース制御部１０９で保持するとして説明をしたが、Ｅ−ＤＣＨ送信プロファイル情報生成部１０７で保持する形態でもよく、また、別に記憶部を持たせてそこで保持してもよい。この場合は、ＡＩＣＨシグネチャコンビネーションセットテーブルをＥ−ＤＣＨ送信プロファイル情報生成部１０７から割当リソース制御部１０９へ通知する動作、または割当リソース制御部１０９がＥ−ＤＣＨ送信プロファイル情報生成部１０７もしくは記憶部から読み出す動作が必要となる。【００５０】
なお、プリアンブル識別部１０８、Ｅ−ＤＣＨ送信プロファイル情報生成部１０７および割当リソース制御部１０９は、ＣＰＵ等のプログラム制御プロセッサ上でそれぞれ対応する機能のプログラムを実行することで同等の機能を実現することもできる。また、ここでは本発明によるチャネル割当方法に関連する部分を図示しており、その他の構成部分は省略されている。【００５１】
図５は本発明による無線通信システムにおける移動局の構成の一例を示すブロック図である。移動局２０は、基地局との無線通信を行うための無線通信部２０１、受信処理部２０２、受信結果処理部２０３、送信データ制御部２０４、Ｅ−ＤＣＨ送信プロファイル情報保持部２０５、送信処理部２０６およびバッファ２０７を含んでいる。ここでも本発明によるチャネル割当方法に関連する部分を図示しており、その他の構成部分は省略されている。【００５２】
受信処理部２０２は無線通信部２０１を通して基地局からのデータを受信し、データがプリアンブルに対する受信結果である場合は、受信結果処理部２０３へ転送し、データがＥ−ＤＣＨ送信プロファイル情報リストである場合は、Ｅ−ＤＣＨ送信プロファイル情報保持部２０５へ転送する。受信結果処理部２０３は受信処理部２０２から入力したプリアンブルに対する受信結果からプリアンブルに対する受信結果と、受信結果がＡＣＫである場合に含まれるＥ−ＤＣＨ送信プロファイル情報番号を抽出する。このＥ−ＤＣＨ送信プロファイル情報番号は送信データ制御部２０４へ転送される。送信データ制御部２０４は、受信結果処理部２０３から入力したＥ−ＤＣＨ送信プロファイル情報番号と、Ｅ−ＤＣＨ送信プロファイル情報保持部２０５に保存されたＥ−ＤＣＨ送信プロファイル情報リストと、バッファ２０７に蓄積された送信データのバッファ量と、からＥ−ＲＡＣＨに用いるＥ−ＤＣＨ送信プロファイルを決定し、送信処理部２０６へ出力する。送信処理部２０６は、送信データ制御部２０４から入力したＥ−ＤＣＨ送信プロファイルに基づいて上りチャネルを設定し、無線通信部２０１を通して基地局へデータを送信する。【００５３】
なお、受信結果処理部２０３、送信データ制御部２０４は、ＣＰＵ等のプログラム制御プロセッサ上でそれぞれ対応する機能のプログラムを実行することで同等の機能を実現することもできる。【００５４】
図６は、本実施の形態におけるデータ送信の手順を示すシーケンス図である。【００５５】
基地局は、セル内の移動局に対して、所定の時間ごとにＥ−ＤＣＨ送信プロファイル情報リストをＢＣＨで報知している（ステップＳ１０１）。移動局のＥ−ＤＣＨ送信プロファイル情報保持部２０５は、受信したＥ−ＤＣＨ送信プロファイル情報リストを保持し、新規Ｅ−ＤＣＨ送信プロファイル情報リストを受信した場合は、情報を更新する。【００５６】
移動局のバッファ２０７に送信データが発生すると（ステップＳ１０２）、送信データ制御部２０４は上述したようにプリアンブルを基地局に送信する（ステップＳ１０３）。基地局は、プリアンブル受信後に、利用可能なＥ−ＤＣＨ送信プロファイル情報が存在するか否かを判断するＡＩＣＨ応答条件判断ステップの処理を行う（ステップＳ１０４）。ステップＳ１０４において利用可能なＥ−ＤＣＨ送信プロファイル情報が存在すれば、Ａｌｔ１の処理を行う。Ａｌｔ１では移動局へＡＩＣＨを用いて受信結果ＡＣＫおよびＥ−ＤＣＨ送信プロファイル情報番号を送信し（ステップＳ１０５）、移動局は、予め基地局からＢＣＨで報知されているＥ−ＤＣＨ送信プロファイル情報とＡＩＣＨで通知されるＥ−ＤＣＨ送信プロファイル情報番号とを用いてＥ−ＤＣＨ送信プロファイルを決定し（ステップＳ１０６）、そのＥ−ＤＣＨ送信プロファイルを用いて上りデータを送信する（ステップＳ１０７）。ステップＳ１０４において利用可能なＥ−ＤＣＨ送信プロファイル情報が存在しなければ、Ａｌｔ２の処理を行う。Ａｌｔ２では移動局に対してＡＩＣＨを用いて受信結果ＮＡＣＫを送信し（ステップＳ１０８）、移動局は、再送カウンタを確認する（ステップＳ１０９）。再送カウンタの残数が０でなければ、Ａｌｔ２−１の処理である所定の待機時間を経てプリアンブルの再送を行い（ステップＳ１１０）、再送カウンタの残数が０であれば、データ送信を中止するＡｌｔ２−２の処理を行う（ステップＳ１１１）。【００５７】
表３は割当リソース制御部１０９で保持されているＡＩＣＨシグネチャコンビネーションセットテーブルの一例である。本実施の形態では、ＡＩＣＨシグネチャコンビネーションは３つのシグネチャから構成される。表３の例では１番目のＡＩＣＨシグネチャがプリアンブルの受信結果を示し、２番目、３番目のシグネチャがＥ−ＤＣＨ送信プロファイル情報番号を示す。【００５８】
【表３】
2009084297.tif 000007
【００５９】
図７は、ＡＩＣＨの応答を判断するステップＳ１０４における基地局、特に割当リソース制御部１０９の動作を示すフローチャートである。基地局が、移動局から送信されたプリアンブルを受信することに応答して、図７の制御動作を開始する。【００６０】
基地局は、移動局が送信するプリアンブルを受信し（ステップＳ２０１）、Ｅ−ＲＡＣＨに割り当てるＥ−ＤＣＨ送信プロファイル情報において、使用可能なＥ−ＤＣＨ送信プロファイル情報が存在するか否かを判断する（ステップＳ２０２）。使用可能なＥ−ＤＣＨ送信プロファイル情報が存在しない場合、基地局はＡＩＣＨを用いて、受信結果ＮＡＣＫを通知する（ステップＳ２０３）。ステップＳ２０２において使用可能なＥ−ＤＣＨ送信プロファイル情報が存在する場合、基地局はＡＩＣＨを用いて、受信結果ＡＣＫおよび選択したＥ−ＤＣＨ送信プロファイル情報番号を移動局に通知し（ステップＳ２０４）、ステップＳ２０５に移行する。ステップＳ２０５では、基地局は移動局が送信する上りデータを受信して、プリアンブル受信待ち状態に戻る（ステップＳ２０１）。【００６１】
以下、ステップＳ２０２の動作について割当リソース制御部１０９で保持されているＡＩＣＨシグネチャコンビネーションセットテーブルの例である表４及び５を用いて具体的に説明する。ＡＩＣＨシグネチャコンビネーションセットテーブルにおいて基地局ではＥ−ＤＣＨ送信プロファイル情報が使用可能か否かという情報を保持している。この情報は表４及び５では例えば状態として保持されており'Ｂｕｓｙ'は使用不可能、'Ａｖａｉｌａｂｌｅ'は使用可能であることをそれぞれ示している。ここでは２つの値として説明したが状態として保持する情報は２値に限ったものではなくてもよい。【００６２】
基地局は、移動局が送信したプリアンブルを受信した場合に、プリアンブル・シグネチャ番号を識別する。このとき、識別したプリアンブル・シグネチャ番号に割り当てられたＥ−ＤＣＨ送信プロファイル情報のうち、使用可能なＥ−ＤＣＨ送信プロファイル情報が存在するか判定する。基地局が移動局から受信したプリアンブルのプリアンブル・シグネチャ番号を１とする。表４はＡＩＣＨでＡＣＫを返すケースにおけるＡＩＣＨシグネチャコンビネーションセットテーブルの一例である。この例では、Ｅ−ＤＣＨ送信プロファイル情報番号４が使用可能であるため、基地局は受信結果がＡＣＫであることおよびＥ−ＤＣＨプロファイル情報番号が４であることを移動局へ通知する。【００６３】
【表４】
2009084297.tif 000008
【００６４】
表５はＡＩＣＨでＮＡＣＫを返すケースにおけるＡＩＣＨシグネチャコンビネーションセットテーブルの一例である。この例では、使用可能なＥ−ＤＣＨ送信プロファイル情報が存在しないため、基地局は、ＡＩＣＨがＮＡＣＫであることを移動局へ通知する。【００６５】
【表５】
2009084297.tif 000009
【００６６】
図８は、本実施の形態における移動局、特に送信データ制御部２０４の動作を示すフローチャートである。移動局はバッファ２０７に送信データが発生したことに応答して、図８の制御動作を開始する（ステップＳ３０１）。【００６７】
ステップＳ３０１動作後に、移動局は再送カウンタＭを初期値Ｍinitに設定し（ステップＳ３０２）、プリアンブルを基地局に送信するプリアンブル送信ステップＳの処理を行い（ステップＳ３０３）、プリアンブルの受信結果を含む基地局からのＡＩＣＨの受信待ち状態となる（ステップＳ３０４）。ステップＳ３０４において、基地局からのＡＩＣＨに含まれる受信結果がＡＣＫの場合、移動局は受信結果と同時に通知されているＥ−ＤＣＨ送信プロファイル情報番号と、予め基地局から報知されているＥ−ＤＣＨ送信プロファイル情報とから、Ｅ−ＤＣＨ送信プロファイルを決定し、そのＥ−ＤＣＨ送信プロファイルを用いて上りデータを基地局に送信する（ステップＳ３０７）。ステップＳ３０４において、基地局からのＡＩＣＨに含まれる受信結果がＮｏ ＡＣＫの場合は、再送カウンタＭの残数を確認する（ステップＳ３０５）。再送カウンタの残数が０であれば、データ送信を中止し、０でなければ、再送カウンタＭを１減少させ（ステップＳ３０８）、所定時間後にプリアンブル送信ステップＳに戻る（ステップＳ３０３）。ステップＳ３０４において、基地局からのＡＩＣＨに含まれる受信結果がＮＡＣＫの場合は、再送カウンタＭの残数を確認する（ステップＳ３０６）。再送カウンタＭが０であれば、データ送信を中止し、０でなければ、再送カウンタＭを１減少させ（ステップＳ３０９）、所定時間後にプリアンブル送信ステップＳに戻る（Ｓ３０３）。【００６８】
本実施の形態ではＡＩＣＨシグネチャ番号を１番から３番として説明をしたが、１番から３番に限定されるものではなく、４番から６番など連続したものでも１番、３番、５番など連続していないものでもよい。また、ＡＩＣＨシグネチャの数に関しても３つに限ったものではなく任意の数で実施できる。なお、プリアンブルの受信結果を示すＡＩＣＨシグネチャに関しても本実施の形態では１番のシグネチャ番号に対応するものとして説明したが、任意の番号に対応するものとして実施でき、また単数でなくてもよい。【００６９】
基地局がシグネチャコンビネーションのうち、所定の少なくとも１つの位置のシグネチャを用いて、プリアンブルの受信結果を含む情報を示し、所定以外の位置のシグネチャを用いて、上りチャネルの送信プロファイル情報番号を示して移動局に通知するため、すべての情報を１つのシグネチャコンビネーションで通知する場合と比べ、受信結果に関する誤り率を軽減することができるという効果が得られる。【００７０】
また、所定の少なくとも１つの位置のシグネチャにより受信結果がわかるため、上りチャネルの送信プロファイル情報番号を判定する必要のない受信結果について計算処理を削減することができるという効果が得られる。【００７１】
（第２の実施の形態）
本実施の形態では、基地局は、シグネチャコンビネーションの使用、不使用に関する情報を定め、移動局に報知することを特徴としている。【００７２】
以下、基地局が、受信結果がＮＡＣＫを示すＡＩＣＨシグネチャコンビネーションからの符号間距離が所定以内であるＡＩＣＨシグネチャコンビネーションを使用しないことを示す無効を設定し、所定以内でないＡＩＣＨシグネチャコンビネーションを使用することを示す有効を設定してＡＩＣＨの送信を行うシステムを一例として説明する。【００７３】
本実施の形態についてその基本的構成は第１の実施の形態の通りであるが、図６のシーケンス図に示されるＥ−ＤＣＨ送信プロファイル情報の通知（ステップＳ１０１）、ＡＩＣＨ応答条件判断ステップ（ステップＳ１０４）の処理及び割当リソース制御部１０９で保持されているＡＩＣＨシグネチャコンビネーションセットテーブルに設定されている内容が異なる。【００７４】
シグネチャコンビネーション間の符号間距離が近い場合には、符号間距離が遠い場合と比べて基地局から移動局へ送信時に、誤って認識される確率が高くなる。本実施の形態ではＮＡＣＫを示すシグネチャコンビネーションである"１，２，３（−１，−１，−１）"を基準とし、所定の符号間距離ΔＬ１より近い位置にある組み合わせを無効と設定する。【００７５】
具体的には、符号間距離ΔＬは式（３）で表される。【００７６】
【数３】
2009084297.tif 000010
ｘ１、ｘ２：ＡＩＣＨシグネチャコンビネーションの中の１番目のＡＩＣＨシグネチャ状態
ｙ１、ｙ２：ＡＩＣＨシグネチャコンビネーションの中の２番目のＡＩＣＨシグネチャ状態
ｚ１、ｚ２：ＡＩＣＨシグネチャコンビネーションの中の３番目のＡＩＣＨシグネチャ状態
ＮＡＣＫを表すシグネチャコンビネーションである"１，２，３（−１，−１，−１）"を基準とし、Ｅ−ＤＣＨ送信プロファイル情報番号が１であるシグネチャ状態"１，２，３（−１，−１，＋１）"を一例とすると、ｘ１＝−１、ｘ２＝−１、ｙ１＝−１、ｙ２＝−１、ｚ１＝−１、ｚ２＝＋１となり、符合間距離ΔＬは２となる。【００７７】
以下の条件に従い、ＡＩＣＨシグネチャコンビネーションの有効、無効の設定を行う。
ΔＬ１≧ΔＬ  ：無効
ΔＬ１＜ΔＬ  ：有効
ここでΔＬは符号間距離を示し、ΔＬ１は所定の符号間距離を示す。【００７８】
表６は上記の条件式において、ΔＬ１＝２とした場合に各ＡＩＣＨシグネチャコンビネーションが有効か無効かを示したＡＩＣＨシグネチャコンビネーションセットテーブル一例である。ここで有効・無効の欄が有効か無効かを示す情報を表す。【００７９】
【表６】
2009084297.tif 000011
【００８０】
基地局は、ステップＳ１０１において、Ｅ−ＤＣＨ送信プロファイル情報および有効なＡＩＣＨシグネチャコンビネーションをＢＣＨで移動局に通知し、ステップＳ２０２では、表６に示した有効なＡＩＣＨシグネチャコンビネーションを移動局に割り当てる。本実施の形態では有効なＡＩＣＨシグネチャコンビネーションを通知するという説明を行ったが、無効なＡＩＣＨシグネチャコンビネーションを通知するという形態でもよいし、有効、無効をあわせた情報を通知するという形態でもよい。有効、無効をあわせた情報を通知する形態では各々を示すフラグが必要となる。このフラグを通知するという形態でもよい。また、予め移動局がこの情報を持ち基地局から通知するという処理を行わないという形態でもよい。【００８１】
本実施の形態では、基地局は、下り共通チャネルのシグネチャコンビネーションの使用、不使用に関する情報を定め、移動局に報知するため、移動局は、基地局からの受信結果に使用されるシグネチャコンビネーションを限定することができる。このことから計算処理を削減することができるという効果が得られる。また受信結果に関する誤り率を軽減することができるという効果が得られる。【００８２】
本実施の形態では、符号間距離が所定以下であるＡＩＣＨシグネチャコンビネーションを無効としているが、セル内のＥ−ＲＡＣＨでデータ送信をする移動局数や対象システムが重視する指標などに応じて有効・無効の設定を変更することができる。【００８３】
その一例を下記に示す。Ｅ−ＲＡＣＨでデータ送信をする移動局が多い場合やブロッキング確率を減らしたい場合は、すべてのＡＩＣＨシグネチャを有効とする。
ΔＬ１≧ΔＬ  ：有効
ΔＬ１＜ΔＬ  ：有効
Ｅ−ＲＡＣＨでデータ送信をする移動局が少ない場合やシグネチャ誤り率を軽減したい場合は、符号間距離が所定以下であるＡＩＣＨシグネチャコンビネーションを無効とし、所定以下ではないＡＩＣＨシグネチャコンビネーションを有効とする。
ΔＬ１≧ΔＬ  ：無効
ΔＬ１＜ΔＬ  ：有効
このように有効・無効の設定が変更可能とすることで計算処理を削減することができるという効果、受信結果に関する誤り率を軽減することができるという効果に加えて適用的なシステム運用ができるという効果が得られる。【００８４】
（第３の実施の形態）
本実施の形態では、基地局は、シグネチャコンビネーションに優先度を定め、優先度の高いシグネチャコンビネーションから移動局に割り当てることを特徴としている。【００８５】
以下、受信結果がＮＡＣＫを示すＡＩＣＨシグネチャコンビネーションからの符号間距離が所定以内であるＡＩＣＨシグネチャコンビネーションの使用優先度を低く設定し、所定以内にないＡＩＣＨシグネチャコンビネーションの使用優先度を高く設定してＡＩＣＨの送信を行うシステムを一例として説明する。【００８６】
本実施の形態についてその基本的構成は第１の実施の形態の通りであるが、図６のシーケンス図に示されるＡＩＣＨ応答条件判断（ステップＳ１０４）の動作及び割当リソース制御部１０９で保持されているＡＩＣＨシグネチャコンビネーションセットテーブルに設定されている内容が異なる。【００８７】
第２の実施の形態では、符号間距離が所定の符号間距離ΔＬ１より近い位置にあるＡＩＣＨシグネチャコンビネーションを不使用としているが、本実施の形態では、式（２）で求めた符号間距離の結果から以下のように割り当ての優先度を変える。
ΔＬ１≧ΔＬ  ：優先度  低
ΔＬ１＜ΔＬ  ：優先度  高【００８８】
本実施の形態では、プリアンブルの受信結果およびＥ−ＤＣＨ送信プロファイル情報番号の割り当ては第２の実施の形態で示した表６と同じである。表７はΔＬ１＝２とした場合に、上記の条件に基づいてＡＩＣＨシグネチャコンビネーションの優先度を示したＡＩＣＨシグネチャコンビネーションセットテーブルの一例である。【００８９】
【表７】
2009084297.tif 000012
【００９０】
ステップＳ１０４において、基地局は、優先度高のＡＩＣＨシグネチャコンビネーションが存在する場合、優先度高のＡＩＣＨシグネチャコンビネーションを移動局に割り当て、優先度高のＡＩＣＨシグネチャコンビネーションが存在しない場合、優先度低のＡＩＣＨシグネチャコンビネーションを移動局に割り当てる。【００９１】
図９は、本実施の形態における基地局の動作を示すフローチャートである。図７と比較して優先度を考慮したＡＩＣＨシグネチャコンビネーションを割り当てる処理であるステップＳ４０１からステップＳ４０４が追加されていることが異なる。【００９２】
以下、図７と比較して異なる点であるステップＳ４０１からステップＳ４０４の説明を行う。【００９３】
基地局は、ステップＳ２０２において使用可能なＥ−ＤＣＨ送信プロファイル情報が存在する場合、割り当て可能な優先度高のＡＩＣＨシグネチャコンビネーションがあるか判断する（ステップＳ４０１）。ステップＳ４０１で、優先度高のＡＩＣＨシグネチャコンビネーションが存在する場合は、ＡＩＣＨを用いて、受信結果ＡＣＫおよび優先度高のＡＩＣＨシグネチャコンビネーションに対応したＥ−ＤＣＨ送信プロファイル情報番号を移動局に通知し（ステップＳ４０２）、優先度高のＡＩＣＨシグネチャコンビネーションが存在しない場合は、ＡＩＣＨを用いて、受信結果ＡＣＫおよび優先度低のＡＩＣＨシグネチャコンビネーションに対応したＥ−ＤＣＨ送信プロファイル情報番号を移動局に通知する（ステップＳ４０３）。ステップＳ４０２及びステップＳ４０３の処理の後移動局が送信する上りデータを受信し（ステップＳ４０４）、プリアンブル受信待ち状態に戻る（ステップＳ２０１）。【００９４】
なお、本実施の形態では優先度を高低の２値で示したが２値に限定したものではなく優先度分けされていれば任意の数に適用できる。【００９５】
本実施の形態では、基地局は、シグネチャコンビネーションに優先度を定め、優先度の高いシグネチャコンビネーションから移動局に割り当てるため、シグネチャの誤り率の低いシグネチャコンビネーションの使用頻度が高く、誤り率の高いシグネチャコンビネーションの使用頻度が低くなり、システム全体で受信結果に関する誤り率を軽減することができるという効果が得られる。【００９６】
（第４の実施の形態）
本実施の形態では、基地局は、受信結果ＮＡＣＫを示すシグネチャコンビネーションに受信結果ＡＣＫを示すシグネチャコンビネーションに用いるものとは異なるものを使用することを特徴とする。【００９７】
以下、受信結果ＮＡＣＫを示すシグネチャコンビネーションに０を含んでＡＩＣＨの送信を行うシステムを一例として説明する。【００９８】
本実施の形態についてその基本的構成は第１の実施の形態の通りであるが、第１の実施の形態とは、割当リソース制御部１０９で保持されているＡＩＣＨシグネチャコンビネーションセットテーブルに設定されている内容が異なる。以下、第１の実施の形態と異なるＡＩＣＨシグネチャコンビネーションセットテーブルの説明を行う。【００９９】
表８は本実施の形態におけるＡＩＣＨシグネチャコンビネーションセットテーブルを示す表である。【０１００】
【表８】
2009084297.tif 000013
【０１０１】
本実施の形態では、基地局は、受信結果ＮＡＣＫを示すシグネチャコンビネーションに受信結果ＡＣＫを示すシグネチャコンビネーションに用いるものとは異なるものを使用するためＥ−ＤＣＨ送信プロファイル情報の割り当てに使用できるシグネチャコンビネーションセットの総数を増やすことができる。よってブロッキング確率を軽減することができるという効果が得られる。【０１０２】
（第５の実施の形態）
本実施の形態では、基地局は、受信結果ＮＡＣＫを示すシグネチャコンビネーションに受信結果ＡＣＫを示すシグネチャコンビネーションに用いるものとは異なるものを使用することに加えて優先度を使用することを特徴とする。【０１０３】
以下、受信結果ＮＡＣＫを示すシグネチャコンビネーションに０を含んで送信を行うシステムを一例として説明する。【０１０４】
本実施の形態についてその基本的構成は第３の実施の形態の通りであるが、第３の実施の形態とは、割当リソース制御部１０９で保持されているＡＩＣＨシグネチャコンビネーションセットテーブルに設定されている内容が異なる。以下、第３の実施の形態と異なるＡＩＣＨシグネチャコンビネーションセットテーブルの説明を行う。【０１０５】
表９は本実施の形態におけるＡＩＣＨシグネチャコンビネーションセットテーブルを示す表である。【０１０６】
表９における優先度の項目は、第２の実施の形態と同様に式２において、ΔＬ１＝２とした場合に関して示している。【０１０７】
【表９】
2009084297.tif 000014
【０１０８】
本実施の形態では、基地局は、下り共通チャネルのシグネチャコンビネーション間の符号間距離によってシグネチャの優先度を定め、優先度の高いシグネチャコンビネーションから移動局に割り当てるため、シグネチャの誤り率の低いシグネチャコンビネーションの使用頻度が高く、誤り率の高いシグネチャコンビネーションの使用頻度が低くなり、システム全体でシグネチャの誤り率を軽減することができるという効果が得られる。【０１０９】
また、Ｅ−ＤＣＨ送信プロファイル情報の割り当てに使用できるシグネチャコンビネーションセットの総数を増やすことができるためブロッキング確率を軽減することができるという効果が得られる。【０１１０】
本実施の形態では、第３の実施の形態をもとに説明を行ったが第２の実施の形態に基づいて実施することも可能である。表１０は第２の実施の形態をもとにした場合のＡＩＣＨシグネチャコンビネーションセットテーブルを示す表である。有効・無効の項目は、第２の実施の形態と同様に式２において、ΔＬ１＝２とした場合に関して示している。【０１１１】
【表１０】
2009084297.tif 000015
【０１１２】
この形態では、基地局は、下り共通チャネルのシグネチャコンビネーションの使用、不使用に関する情報を定め、移動局に報知するため、移動局は、基地局からの受信結果に使用されるシグネチャコンビネーションを限定することができる。このことから計算処理を削減することができるという効果が得られる。【０１１３】
また、受信結果に関する誤り率を軽減することができるという効果が得られる。【０１１４】
また、Ｅ−ＤＣＨ送信プロファイル情報の割り当てに使用できるシグネチャコンビネーションセットの総数を増やすことができるためブロッキング確率を軽減することができるという効果が得られる。【０１１５】
（第６の実施の形態）
本実施の形態では、基地局がシグネチャコンビネーションのうち、所定の少なくとも１つの位置のシグネチャを用いて、プリアンブルの受信結果を含む情報を示し、所定以外の位置のシグネチャを用いて、上りチャネルの送信プロファイル情報番号を示して前記移動局に通知するとともに、受信結果ＮＡＣＫを示すシグネチャコンビネーションに受信結果ＡＣＫを示すシグネチャコンビネーションに用いるものとは異なるものを使用することを特徴としている。【０１１６】
以下、基地局が３つのＡＩＣＨシグネチャから構成されるシグネチャコンビネーションのうち、１番目のＡＩＣＨシグネチャを用いて、プリアンブルの受信結果を示し、２番目と３番目のＡＩＣＨシグネチャを用いて、Ｅ−ＤＣＨ送信プロファイル情報番号を示して前記移動局に通知するとともに、受信結果ＮＡＣＫを示すシグネチャコンビネーションに０を含むシステムを一例として説明する。【０１１７】
本実施の形態についてその基本的構成は第１の実施の形態の通りであるが、第１の実施の形態とは、割当リソース制御部１０９で保持されているＡＩＣＨシグネチャコンビネーションセットテーブルに設定されている内容が異なる。以下、第１の実施の形態と異なるＡＩＣＨシグネチャコンビネーションセットテーブルの説明を行う。【０１１８】
表１１は本実施の形態におけるＡＩＣＨシグネチャコンビネーションセットテーブルを示す表である。【０１１９】
【表１１】
2009084297.tif 000016
【０１２０】
基地局がシグネチャコンビネーションのうち、所定の少なくとも１つの位置のシグネチャを用いて、プリアンブルの受信結果を含む情報を示し、所定以外の位置のシグネチャを用いて、上りチャネルの送信プロファイル情報番号を示して移動局に通知するため、すべての情報を１つのシグネチャコンビネーションで通知する場合と比べ、受信結果に関する誤り率を軽減することができるという効果が得られる。【０１２１】
また、所定の少なくとも１つの位置のシグネチャにより受信結果がわかるため、上りチャネルの送信プロファイル情報番号を判定する必要のない受信結果について計算処理を削減することができるという効果が得られる。【０１２２】
また、Ｅ−ＤＣＨ送信プロファイル情報の割り当てに使用できるシグネチャコンビネーションセットの総数を増やすことができるためブロッキング確率を軽減することができるという効果が得られる。【０１２３】
（第７の実施の形態）
本実施の形態では、基地局がシグネチャコンビネーションのうち、所定の少なくとも１つの位置のシグネチャを用いて、プリアンブルの受信結果を含む情報を示し、所定以外の位置のシグネチャを用いて、上りチャネルの送信プロファイル情報番号を示して前記移動局に通知することと、受信結果ＮＡＣＫを示すシグネチャコンビネーションに受信結果ＡＣＫを示すシグネチャコンビネーションに用いるものとは異なるものを使用することと、シグネチャコンビネーションに優先度を定め、優先度の高いシグネチャコンビネーションから移動局に割り当てることとを特徴としている。【０１２４】
以下、基地局が４つのＡＩＣＨシグネチャから構成されるシグネチャコンビネーションのうち、１番目のＡＩＣＨシグネチャを用いて、プリアンブルの受信結果を示し、２番目から４番目のＡＩＣＨシグネチャを用いて、Ｅ−ＤＣＨ送信プロファイル情報番号を示して前記移動局に通知し、受信結果ＮＡＣＫを示すシグネチャコンビネーションに０を含み、ＡＣＫの受信結果のうちＥ−ＤＣＨ送信プロファイル情報番号が１であるＡＩＣＨシグネチャコンビネーションからの符号間距離が所定以内であるコンビネーションの使用優先度を低く設定し、所定以内でないコンビネーションの使用優先度を高く設定してＡＩＣＨの送信を行うシステムを一例として説明する。【０１２５】
本実施の形態についてその基本的構成は第３の実施の形態の通りであるが、第３の実施の形態とは、割当リソース制御部１０９で保持されているＡＩＣＨシグネチャコンビネーションセットテーブルに設定されている内容が異なる。以下、第３の実施の形態と異なるＡＩＣＨシグネチャコンビネーションセットテーブルの説明を行う。【０１２６】
表１２は本実施の形態におけるＡＩＣＨシグネチャコンビネーションセットテーブルを示す表である。【０１２７】
【表１２】
2009084297.tif 000017
【０１２８】
基地局がシグネチャコンビネーションのうち、所定の少なくとも１つの位置のシグネチャを用いて、プリアンブルの受信結果を含む情報を示し、所定以外の位置のシグネチャを用いて、上りチャネルの送信プロファイル情報番号を示して移動局に通知するため、すべての情報を１つのシグネチャコンビネーションで通知する場合と比べ、受信結果に関する誤り率を軽減することができるという効果が得られる。【０１２９】
また、所定の少なくとも１つの位置のシグネチャにより受信結果がわかるため、上りチャネルの送信プロファイル情報番号を判定する必要のない受信結果について計算処理を削減することができるという効果が得られる。【０１３０】
また、Ｅ−ＤＣＨ送信プロファイル情報の割り当てに使用できるシグネチャコンビネーションセットの総数を増やすことができるためブロッキング確率を軽減することができるという効果が得られる。【０１３１】
また、基地局は、シグネチャコンビネーションに優先度を定め、優先度の高いシグネチャコンビネーションから移動局に割り当てるため、シグネチャの誤り率の低いシグネチャコンビネーションの使用頻度が高く、誤り率の高いシグネチャコンビネーションの使用頻度が低くなり、システム全体で受信結果に関する誤り率を軽減することができるという効果が得られる。【０１３２】
本実施の形態では、第３の実施の形態をもとに説明を行ったが第２の実施の形態をもとに実施することも可能である。表１３は第２の実施の形態をもとにした場合のＡＩＣＨシグネチャコンビネーションセットテーブルを示す表である。有効・無効の項目は、第２の実施の形態と同様に式（２）において、ΔＬ１＝２とした場合に関して示している。【０１３３】
【表１３】
2009084297.tif 000018
【０１３４】
この実施の形態では、基地局がシグネチャコンビネーションのうち、所定の少なくとも１つの位置のシグネチャを用いて、プリアンブルの受信結果を含む情報を示し、所定以外の位置のシグネチャを用いて、上りチャネルの送信プロファイル情報番号を示して移動局に通知するため、すべての情報を１つのシグネチャコンビネーションで通知する場合と比べ、受信結果に関する誤り率を軽減することができるという効果が得られる。【０１３５】
また、所定の少なくとも１つの位置のシグネチャにより受信結果がわかるため、上りチャネルの送信プロファイル情報番号を判定する必要のない受信結果について計算処理を削減することができるという効果が得られる。【０１３６】
また、Ｅ−ＤＣＨ送信プロファイル情報の割り当てに使用できるシグネチャコンビネーションセットの総数を増やすことができるためブロッキング確率を軽減することができるという効果が得られる。【０１３７】
また、基地局は、下り共通チャネルのシグネチャコンビネーションの使用、不使用に関する情報を定め、移動局に報知するため、移動局は、基地局からの受信結果に使用されるシグネチャコンビネーションを限定することができる。このことから計算処理を削減することができるという効果が得られる。また受信結果に関する誤り率を軽減することができるという効果が得られる。【０１３８】
（第８の実施の形態）
第１の実施の形態では、基地局がシグネチャコンビネーションのうち、所定の少なくとも１つの位置のシグネチャを用いて、プリアンブルの受信結果を含む情報を示し、所定以外の位置のシグネチャを用いて、上りチャネルの送信プロファイル情報番号を示して前記移動局に通知していたが、本実施の形態では所定の複数の位置のシグネチャにプリアンブルの受信結果以外の情報も含む、または所定以外の位置のシグネチャ状態に上りチャネルの送信プロファイル以外の情報も含むことを特徴とする。【０１３９】
以下、複数のシグネチャの一部のシグネチャにプリアンブルの受信結果を含む情報が構成されている例を示す。具体的には基地局が５つのＡＩＣＨシグネチャから構成されるシグネチャコンビネーションのうち、１番目と２番目のＡＩＣＨシグネチャが所定のＡＩＣＨシグネチャを示し、３番目から５番目のＡＩＣＨシグネチャが所定以外のＡＩＣＨシグネチャを示して前記移動局に通知するシステムを一例として説明する。【０１４０】
本実施の形態についてその基本的構成は第１の実施の形態の通りであるが、第１の実施の形態とは、割当リソース制御部１０９で保持されているＡＩＣＨシグネチャコンビネーションセットテーブルに設定されている内容が異なる。以下、第１の実施の形態と異なるＡＩＣＨシグネチャコンビネーションセットテーブルの説明を行う。【０１４１】
表１４は本実施の形態で用いられるＡＩＣＨシグネチャコンビネーションセットテーブルの一例である。所定のシグネチャ状態は受信結果を表す１番目のＡＩＣＨシグネチャと連続送信可能時間を表す２番目のＡＩＣＨシグネチャから構成される。所定以外のシグネチャはＥ−ＤＣＨ送信プロファイル情報番号を表す３番目及び４番目のＡＩＣＨシグネチャと送信電力オフセットを表す５番目のＡＩＣＨシグネチャとから構成される。【０１４２】
【表１４】
2009084297.tif 000019
【０１４３】
本実施の形態ではＡＩＣＨシグネチャコンビネーションの中の２番目のＡＩＣＨシグネチャ状態が＋１の場合は連続送信時間が'Ｌｏｎｇ'を示し、−１の場合は'Ｓｈｏｒｔ'を示す。'Ｌｏｎｇ'、'Ｓｈｏｒｔ'それぞれが示す値は基地局、移動局で予め設定されているものとする。ここでは'Ｌｏｎｇ'、'Ｓｈｏｒｔ'として表したが、＋１、−１のそれぞれが具体的な時間を示すものであってもよい。【０１４４】
また、ＡＩＣＨシグネチャコンビネーションの中の５番目のＡＩＣＨシグネチャ状態が＋１の場合は送信電力オフセットが'Ｈｉｇｈ'を示し、−１の場合は'Ｌｏｗ'を示す。'Ｈｉｇｈ'、'Ｌｏｗ'それぞれが示す値は基地局、移動局で予め設定されているものとする。ここでは'Ｈｉｇｈ'、'Ｌｏｗ'として表したが、＋１、−１のそれぞれが具体的なオフセット値を示すものであってもよい。【０１４５】
ここでは連続送信時間及び送信電力オフセットが'Ｌｏｎｇ''Ｓｈｏｒｔ'または'Ｈｉｇｈ''Ｌｏｗ'の２値であるとして説明したが２値に限定するものではない。【０１４６】
本実施の形態は第１の実施の形態をもとに説明したが、所定の複数の位置のシグネチャを用いて、プリアンブルの受信結果を含む情報を示す第６または第７の実施の形態に適用することも可能である。また、本実施の形態では所定の複数の位置のシグネチャにプリアンブルの受信結果以外の情報も含み、かつ所定以外の位置のシグネチャに上りチャネルの送信プロファイル以外の情報も含むＡＩＣＨシグネチャコンビネーションセットテーブルを用いて説明したが、所定の複数の位置のシグネチャにプリアンブルの受信結果以外の情報を含むまたは所定以外のシグネチャに上りチャネルの送信プロファイル以外の情報を含むというどちらか一方が行われればよい。なお、表１４では所定の複数の位置のシグネチャに連続送信可能時間、所定以外の位置のシグネチャに送信電力オフセットが含まれるとしたが、送信される情報はこれらに限ったものではないことは言うまでもない。【０１４７】
本実施の形態では、基地局がシグネチャコンビネーションのうち、所定の複数の位置のシグネチャを用いて、プリアンブルの受信結果を含む情報を示し、所定以外の位置のシグネチャを用いて、上りチャネルの送信プロファイル情報番号を示して移動局に通知するため、すべての情報を１つのシグネチャコンビネーションで通知する場合と比べ、受信結果に関する誤り率を軽減することができるという効果が得られる。【０１４８】
また、所定の複数の位置のシグネチャにより受信結果がわかるため、上りチャネルの送信プロファイル情報番号を判定する必要のない受信結果について計算処理を削減することができるという効果が得られる。所定の複数の位置のシグネチャにプリアンブルの受信結果以外の情報も含む、または所定以外の位置のシグネチャ状態に上りチャネルの送信プロファイル以外の情報も含むことで、周期的に報知を行うよりも短い周期でパラメータの設定を行うことができるという効果が得られる。また、基地局は、移動局ごとにＥ−ＤＣＨ送信プロファイルを制御することも可能となる。
【産業上の利用可能性】
【０１４９】
本発明は、上りチャネルを用いて、複数の無線通信装置が基地局にアクセスする方式の無線通信システムに適用可能である。
【図１】
2009084297.tif 000020
【図２】
2009084297.tif 000021
【図３】
2009084297.tif 000022
【図４】
2009084297.tif 000023
【図５】
2009084297.tif 000024
【図６】
2009084297.tif 000025
【図７】
2009084297.tif 000026
【図８】
2009084297.tif 000027
【図９】
2009084297.tif 000028
【国際調査報告】
2009084297.tif 000029
2009084297.tif 000030
2009084297.tif 000031
2009084297.tif 000032